(57)【要約】【課題】複数の場所に亘り各々で提供される同一の商品又はサービスについての販売をより促進させることができる抽選システム、抽選方法及びコンピュータプログラムを提供する。【解決手段】通信端末装置１は、商品ｘの購入に応じて発行されるシリアル番号をサーバ装置２へ送信し、サーバ装置２では、シリアル番号に基づき、商品ｘの販売個数の総計に加算し、総計がきりのよい数字等の特定の数字に該当する場合、当選として通信端末装置１へ総計及び当選通知を送信する。他の通信端末装置１又は表示装置３からの総計の送信要求を受信し、送信要求に応じてリアルタイムの総計を送信し、各通信端末装置１又は表示装置３が総計を受信し、表示する。【選択図】図１
2013232104.tif 000002
【特許請求の範囲】
【請求項１】
複数の通信装置と、該複数の通信装置とネットワークを介して接続され、前記複数の通信装置から送信される情報に基づき抽選処理を実行する抽選処理装置とを含む抽選システムにおいて、
各通信装置は、
複数の場所に亘り各々で提供される同一の商品又はサービスについて、該商品又はサービスの１又は複数毎の提供を識別する識別情報を受け付ける受付手段と、
該受付手段が受け付けた識別情報を前記抽選処理装置へ送信する手段と
を備え、
前記抽選処理装置は、
各通信装置から送信される識別情報を受信する都度、前記商品又はサービスの提供に係る提供個数、提供回数、価格、距離、又は人数を表す数量を、該数量の総計に加算する算出手段と、
該算出手段が加算した結果の総計を通信装置へ送信する手段と、
前記算出手段が加算した結果の総計が特定の番号に該当するか否かを判断する判断手段と、
該判断手段による判断結果を、前記識別情報の送信元の通信装置へ送信する手段と、
前記判断手段が特定の番号に該当すると判断した場合、前記特定の番号に対応する識別情報の送信元の通信装置へ当選通知情報を送信する手段と
を備えることを特徴とする抽選システム。
【請求項２】
前記抽選処理装置は、前記商品又はサービスに関するウェブコンテンツをＳＮＳにて共有させるためのリンク情報を、通信装置へ送信する手段を更に備えること
を特徴とする請求項１に記載の抽選システム。
【請求項３】
前記抽選処理装置から送信される前記総計を受信する手段を備え、受信した総計の情報を表示する表示装置を更に含むこと
を特徴とする請求項１乃至３のいずれかに記載の抽選システム。
【請求項４】
複数の通信装置と、該複数の通信装置とネットワークを介して接続され、前記複数の通信装置から送信される情報に基づき抽選処理を実行する抽選処理装置とを含むシステムにて、抽選処理を行なう方法において、
各通信装置は、複数の場所に亘り各々で提供される同一の商品又はサービスについて、該商品又はサービスの１又は複数毎の提供を識別する識別情報を受け付け、
各通信装置は、受け付けた識別情報を前記抽選処理装置へ送信し、
前記抽選処理装置は、各通信装置から送信される識別情報を受信する都度、前記商品又はサービスの提供に係る提供個数、提供回数、価格、距離、又は人数を表す数量を、該数量の総計に加算し、
加算結果の総計が特定の番号に該当するか否かを判断し、
判断結果を前記識別情報の送信元の通信装置へ送信し、
前記加算結果の総計を１又は複数の通信装置へ送信し、
前記判断結果が特定の番号に該当すると判断した場合、前記特定の番号に対応する識別情報の送信元の通信装置へ当選通知情報を送信する
ことを特徴とする抽選方法。
【請求項５】
通信手段を備えるコンピュータに、複数の通信装置から送信される情報に基づき抽選処理を実行させるコンピュータプログラムにおいて、
前記コンピュータに、
複数の場所に亘り各々で提供される同一の商品又はサービスについて、該商品又はサービスの１又は複数毎の提供を識別する識別情報を受信するステップ、
該ステップにより受信する都度、前記商品又はサービスの提供に係る提供個数、提供回数、価格、距離、又は人数を表す数量を、該数量の総計に加算するステップ、
加算結果の総計が特定の番号に該当するか否かを判断するステップ、
該ステップによる判断結果を前記識別情報の送信元の通信装置へ送信するステップ、
前記加算結果の総計を１又は複数の通信装置へ送信するステップ、及び、
前記判断結果が特定の番号に該当すると判断した場合、前記特定の番号に対応する識別情報の送信元の通信装置へ当選通知情報を送信するステップ
を実行させることを特徴とするコンピュータプログラム。
【発明の詳細な説明】
【技術分野】
【０００１】
本発明は、商品又はサービスの提供に応じてユーザからの応募を受け付けて抽選を行なう抽選システムに関し、特に、商品又はサービスの提供をより促進させることを可能とする抽選システム、抽選方法及びコンピュータプログラムに関する。
【背景技術】
【０００２】
商品又はサービスの購入、利用に応じて応募券を発行し、当該応募券による応募を受け付けて抽選を行ない、特典を付与する抽選方法が広く実施されている。特に昨今では、応募の受け付け、及び特典の付与に関する情報の通知をネットワークを介してユーザが所有する通信装置を用いて実現するシステムが利用されている（特許文献１等）。
【０００３】
特許文献２には顧客の決済の順番を顧客グループ別にカウントし、グループ内で順番が予め決定してあった順番に一致し当選した場合、決済代金を該当する当選金分だけ割引させることにより、消費を活性化させ、決済の加盟店の売り上げを増大させることを可能とする抽選システムが開示されている。
【０００４】
特許文献３には、物品の購入者からの申し込みが一定人数に達する都度、予め決められた数の分だけ当選させる従来の抽選方式に対し、予め定められた当選時刻に最も近い時刻に申し込みを行なった申込者を当選と決定する抽選方式が開示されている。
【先行技術文献】
【特許文献】
【０００５】
【特許文献１】特開２００３−１４１２９７号公報
【特許文献２】特表２００９−５１２９３５号公報
【特許文献３】特開２００３−１９６４２２号公報
【発明の概要】
【発明が解決しようとする課題】
【０００６】
このように、抽選方法には乱数を用いる等の種々の方法が提案されており、これらの方法によって抽選を受けるべく顧客は商品又はサービスの利用する意欲を持つから、当該商品又はサービスの利用を促進させることが可能である。
【０００７】
しかしながら、従来の抽選方法では、利用者は、自身の実績（応募数又は応募金額等）即ち個々の努力に応じて当選しやすく、特典も多くなる傾向にあった。この場合、抽選に参加する楽しさは、利用者個々のものとなり、抽選に参加する楽しさを、他の利用者と共有することには関心が払われていない。
【０００８】
本発明は斯かる事情に鑑みてなされたものであり、商品又はサービスの提供に応じた抽選の楽しさを多人数で共有し、応募及び抽選のエンタテイメント性を高めて商品又はサービスの利用を更に促進させることを可能とする抽選システム、抽選方法及びコンピュータプログラムを目的とする。
【課題を解決するための手段】
【０００９】
本発明に係る抽選システムは、複数の通信装置と、該複数の通信装置とネットワークを介して接続され、前記複数の通信装置から送信される情報に基づき抽選処理を実行する抽選処理装置とを含む抽選システムにおいて、各通信装置は、複数の場所に亘り各々で提供される同一の商品又はサービスについて、該商品又はサービスの１又は複数毎の提供を識別する識別情報を受け付ける受付手段と、該受付手段が受け付けた識別情報を前記抽選処理装置へ送信する手段とを備え、前記抽選処理装置は、各通信装置から送信される識別情報を受信する都度、前記商品又はサービスの提供に係る提供個数、提供回数、価格、距離、又は人数を表す数量を、該数量の総計に加算する算出手段と、該算出手段が加算した結果の総計を通信装置へ送信する手段と、前記算出手段が加算した結果の総計が特定の番号に該当するか否かを判断する判断手段と、該判断手段による判断結果を、前記識別情報の送信元の通信装置へ送信する手段と、前記判断手段が特定の番号に該当すると判断した場合、前記特定の番号に対応する識別情報の送信元の通信装置へ当選通知情報を送信する手段とを備えることを特徴とする。
【００１０】
本発明に係る抽選システムは、前記抽選処理装置は、前記商品又はサービスに関するウェブコンテンツをＳＮＳにて共有させるためのリンク情報を、通信装置へ送信する手段を更に備えることを特徴とする。
【００１１】
本発明に係る抽選システムは、前記抽選処理装置から送信される前記総計を受信する手段を備え、受信した総計の情報を表示する表示装置を更に含むことを特徴とする。
【００１２】
本発明に係る抽選方法は、複数の通信装置と、該複数の通信装置とネットワークを介して接続され、前記複数の通信装置から送信される情報に基づき抽選処理を実行する抽選処理装置とを含むシステムにて、抽選処理を行なう方法において、各通信装置は、複数の場所に亘り各々で提供される同一の商品又はサービスについて、該商品又はサービスの１又は複数毎の提供を識別する識別情報を受け付け、各通信装置は、受け付けた識別情報を前記抽選処理装置へ送信し、前記抽選処理装置は、各通信装置から送信される識別情報を受信する都度、前記商品又はサービスの提供に係る提供個数、提供回数、価格、距離、又は人数を表す数量を、該数量の総計に加算し、加算結果の総計が特定の番号に該当するか否かを判断し、判断結果を前記識別情報の送信元の通信装置へ送信し、前記加算結果の総計を１又は複数の通信装置へ送信し、前記判断結果が特定の番号に該当すると判断した場合、前記特定の番号に対応する識別情報の送信元の通信装置へ当選通知情報を送信することを特徴とする。
【００１３】
本発明に係るコンピュータプログラムは、通信手段を備えるコンピュータに、複数の通信装置から送信される情報に基づき抽選処理を実行させるコンピュータプログラムにおいて、前記コンピュータに、複数の場所に亘り各々で提供される同一の商品又はサービスについて、該商品又はサービスの１又は複数毎の提供を識別する識別情報を受信するステップ、該ステップにより受信する都度、前記商品又はサービスの提供に係る提供個数、提供回数、価格、距離、又は人数を表す数量を、該数量の総計に加算するステップ、加算結果の総計が特定の番号に該当するか否かを判断するステップ、該ステップによる判断結果を前記識別情報の送信元の通信装置へ送信するステップ、前記加算結果の総計を１又は複数の通信装置へ送信するステップ、及び、前記判断結果が特定の番号に該当すると判断した場合、前記特定の番号に対応する識別情報の送信元の通信装置へ当選通知情報を送信するステップを実行させることを特徴とする。
【００１４】
本発明では、複数の異なる場所にて各々提供される商品又はサービスの提供個数、提供回数、価格、距離、又は人数等の数量の総計が抽選処理装置にて算出され、総計が特定の番号に該当するか否かが判断されると共に、判断の結果によらず、各通信装置へ送信される。識別情報に対応する総計が特定の番号に該当する場合、即ち当選した場合は当選通知が対応する通信装置へ送信される。これにより、各通信装置で総計を出力することが可能となる。ここでいう特定の番号とは、最高位の値が変わる番号（所謂キリ番）、ゾロ目、連番、又は商品若しくはサービスに関して所以がある番号が、利用者が一見して目指し易く好ましい。
【００１５】
本発明では、通信装置は識別情報の送信に応じて、商品又はサービスに関するウェブコンテンツをＳＮＳで共有るためのリンク情報を受信し、出力（表示）することが可能である。リンク情報に基づき、利用者は当該商品又はサービスの情報をＳＮＳで共有し易くなる。
【００１６】
本発明では、商品又はサービスの提供に係る提供個数、提供回数、価格、距離、又は人数を表す数量の総計が表示装置にて表示される。識別情報を送信しない場合であっても、総計を表示させることにより、利用者以外に共有させることが可能となる。
【発明の効果】
【００１７】
本発明による場合、商品又はサービスに係る数量の総計が特定の番号に該当した場合に、当該特定の番号に対応する通信装置へ当選が通知されるがその際に、当選又は落選に関わらず各通信装置で総計を受信して出力することが可能である。したがって、利用者は、自身が提供を受けた商品又はサービスが、何番目に該当するのか、何人目の被提供者なのか、何円目に対応するのか、何キロメートル目に該当するのかなどをリアルタイムに把握することができ、当該商品又はサービスに対する一体感などの楽しさを、他の利用者と共有することができ、更に商品又はサービスの提供を受ける意欲を持つことが期待される。
【００１８】
更に本発明による場合、前記商品又はサービスの総計の情報がＳＮＳにて共有されるから、商品又はサービスの実際の利用者以外にも総計の情報を認識することができる。この場合、実際御利用者以外のＳＮＳユーザが、総計を認識して興味を持ち、特定の番号に該当する商品又はサービスの提供を受けるべく、商品又はサービスの購入意欲を持つ可能性があり、前記商品又はサービスの販売を効果的に促進することができる。
【図面の簡単な説明】
【００１９】
【図１】本実施の形態における情報提供システムの概要を模式的に示す模式図である。
【図２】本実施の形態における情報提供システムの構成を示すブロック図である。
【図３】本実施の形態のサーバ装置により実行される抽選処理の手順の一例を示すフローチャートである。
【図４】通信端末装置の表示部に表示される画面例を示す説明図である。
【図５】本実施の形態の情報提供システムで実現されるイメージを表す模式図である。
【発明を実施するための形態】
【００２０】
以下、本発明をその実施の形態を示す図面に基づき具体的に説明する。以下の実施の形態では、本発明を商品又はサービスに関する情報提供システムに適用させた例を挙げて説明する。図１は、本実施の形態における情報提供システムの概要を模式的に示す模式図であり、図２は、本実施の形態における情報提供システムの構成を示すブロック図である。情報提供システムは、ユーザが持つ所謂スマートフォンなどの携帯電話機である通信端末装置１と、各通信端末装置１が接続できるネットワークＮ上のサーバ装置２とを含んで構成される。情報提供システムには更に、図示するように表示装置３を含んでもよい。
【００２１】
サーバ装置２が、異なる場所に存在する店舗Ａ、店舗Ｂ、及び店舗Ｃで各々提供される同一商品ｘ又は他のサービスについてのＷｅｂコンテンツを通信端末装置１へ送信する。このとき店舗Ａ、店舗Ｂ、及び店舗Ｃは実空間における飲食店等の店舗でもよいし、インターネット上の店舗であってもよいし、実店舗とインターネット上の店舗の両方であってもよい。サーバ装置２は、商品ｘ又はサービスについての情報を実店舗に設置された表示装置３へ送信し、表示装置３にて受信し、表示するようにしてもよい。サーバ装置２は、通信端末装置１が有するＧＰＳ（Global Positioning System ）機能から得られる位置情報に基づき、商品ｘについて通信端末装置１の現在地に最も近い店舗Ａへの行き方を示す画像を含む情報を通信端末装置１へ送信するなど、商品ｘ又は他のサービスについての情報を通信端末装置１を所持するユーザ、又は表示装置３の画面を視認するユーザへ提供することができる。このような情報提供システムにて更に、サーバ装置２は、商品ｘの製造販売を行なう会社、又は商品ｘを扱う店舗Ａ〜Ｃを展開する業者がキャンペーンとして実施する商品ｘの購入に対して抽選処理を実行する装置として機能する。以下、サーバ装置２で実行される抽選処理について説明する。
【００２２】
通信端末装置１は、上述したように所謂スマートフォンなどの携帯電話機である。なお、電話機能は必須ではなく、通信機能を有していればよいので、タブレット型ＰＣ（パーソナルコンピュータ）であってもよい。また、ＰＯＳ（Point Of Sale ）システムの端末装置であってもよい。通信端末装置１は、制御部１０、一時記憶部１１、記憶部１２、通信部１３、表示部１４、操作部１５、及び撮像部１６を備える。
【００２３】
制御部１０は、ＣＰＵ（Central Processing Unit ）を用い、内蔵するＲＯＭ（ReadOnly Memory）に記憶されている制御プログラムに基づき各構成部を制御する。一時記憶部１１は、ＤＲＡＭ（DynamicRandom Access Memory）又はＳＲＡＭ（ Static Random AccessMemory）等のＲＡＭを用いる。一時記憶部１１は、制御部１０の処理によって生成される情報を一時的に記憶する。通信用の送受信バッファとして用いられてもよい。記憶部１２は、フラッシュメモリを用いる。制御部１０は、サーバ装置２から受信した画像などの情報を記憶部１２に保存する。
【００２４】
通信部１３は、無線通信機能を実現する。制御部１０からの指示に基づき、ネットワークＮを介してサーバ装置２に接続し、サーバ装置２との間で情報を送受信する。
【００２５】
表示部１４は、ＬＣＤ（Liquid Crystal Display）等のディスプレイデバイスを用いる。操作部１５は、ハードウェアキー及びＬＣＤ上に搭載したタッチパネルを用いる。操作部１５は、いずれかのキーが押下されたこと、及びタッチパネルが触れられたことを検知し、押下されたキーの識別情報、又はタッチパネル上の位置を制御部１０へ通知する。
【００２６】
撮像部１６は、カメラユニットである。撮像部１６は、制御部１０からの指示に基づき、カメラユニットを動作させ、撮像を実行し得られた画像データを出力する。制御部１０は、出力された画像データを記憶部１２に保存することが可能である。撮像部１６は、撮像した画像データを解析し、二次元バーコード等の識別情報を含む情報を抽出する機能を有する。なお撮像部１６は通信端末装置１において必須ではなく、撮像部１６を備えない通信端末装置１が存在してもよい。
【００２７】
サーバ装置２は、制御部２０、一時記憶部２１、記憶部２２、及び通信部２３を備える。なお、サーバ装置２の実体は、抽選処理装置、Ｗｅｂサーバ装置、認証サーバ装置などの複数のサーバ装置から構成されてもよいし、クラウドサーバにより構成されてもよい。
【００２８】
制御部２０はＣＰＵを用い、記憶部２２に記憶されている抽選プログラム２Ｐを読み出して実行することにより、抽選処理を実現する抽選処理装置として動作する。制御部２０は、図示しない他のサーバプログラムにより、Ｗｅｂサーバ、又は認証サーバ等の機能をも実現する。
【００２９】
一時記憶部２１は、ＤＲＡＭ、ＳＲＡＭ等のＲＡＭを用い、制御部２０の処理によって生成される情報を一時的に記憶する。記憶部２２は、ＨＤ（Hard Disk Drive ）又はＳＳＤ（Solid State Drive ）を用い、抽選処理を実行させる抽選プログラム２Ｐを含む各種プログラムの他、制御部２０が用いるデータを記憶する。通信部２３は、ネットワークＮと接続し、通信端末装置１との間の情報の送受信を実現する。
【００３０】
表示装置３は、ＣＰＵを用いた制御部３０と、ＬＣＤを用いた表示部３１と、ネットワークＮを介したサーバ装置２との通信を実現する通信部３２とを備え、サーバ装置２から受信したＷｅｂコンテンツ情報に基づく画像、又は映像情報を表示部３１に表示することが可能である。
【００３１】
このように構成される情報提供システムにて、商品ｘについての応募及び抽選が実行される手順について説明する。図３は、本実施の形態のサーバ装置２により実行される抽選処理の手順の一例を示すフローチャートである。
【００３２】
店舗Ａ〜Ｃにて、各々におけるユーザが商品ｘを購入した場合、サーバ装置２のＷｅｂサーバ機能により公開されているＷｅｂコンテンツへのＵＲＬ情報を示す二次元バーコード付きのカードＣ（図１参照）がユーザへ渡される。二次元バーコードが示すＵＲＬ情報には、商品ｘ夫々を固有に識別するシリアル情報が付加されており、以下に示す抽選への応募を夫々識別することが可能である。なお、ユーザへ渡される物はカードＣに限らない。商品ｘを１個購入したことを識別することができればよいので、商品ｘ自体に印字されてもよいし、シリアル情報のシールが貼付されてもよい。インターネット上の購入の場合、画面上にシリアル情報が表示されるか、音声出力されてもよいし、容器や納品書にシリアル情報が添付されるなどでもよい。サービスの提供であれば、サービスの１回又は単位回数の提供毎にシリアル情報が記載されたカードが発行されたり、店舗や各場所に設置されたポイント表示システムの端末装置に表示されてもよい。なお、識別する情報はシリアル情報に限られない。
【００３３】
ユーザは自身が所持する通信端末装置１の撮像部１６を用いて、商品ｘの購入に対して渡されたカードＣに印刷された二次元バーコードを撮像したり、操作部１５を用いてシリアル情報を入力する。これにより、以下の抽選処理が開始される。なお、通信端末装置１がＰＯＳ端末装置である場合は、ユーザ自身が撮像処理、入力処理を行なわずとも自動的に以下の処理が行なわれてもよい。
【００３４】
制御部１０は、ＵＲＬ情報及びシリアル情報を受け付ける（ステップＳ１）。ＵＲＬ情報及びシリアル情報の受け付けは上述したように、カードＣ上の二次元バーコードの撮像処理、又は操作部１５によるシリアル情報の入力処理によって実現される。制御部１０は、ステップＳ１で受け付けたＵＲＬ情報に基づいてサーバ装置２へ接続し、シリアル情報をサーバ装置２へ送信する（ステップＳ２）。
【００３５】
サーバ装置２では、通信部２３が送信されたシリアル情報を受信し（ステップＳ３）、制御部２０は、シリアル情報が受付済みのシリアル情報と重複するか否かを判断する（ステップＳ４）。制御部２０は、重複しないと判断した場合（Ｓ４：ＮＯ）、商品ｘの販売数に１を加算し（ステップＳ５）、加算結果が特定の数字に該当するか否かを判断する（ステップＳ６）。
【００３６】
ここで特定の数字とは、ユーザが認識しやすい数字、又は商品ｘに所以のある数字とする。例えば、きりのよい数字（10、100 、1000、又は 300,000等の最高位が変わった数字、所謂キリ番）、各位が全て同じ数字からなる数字（777、 3,333,333等の所謂ぞろ目）、各位の数字が一定に増減する数字（1234、 54321、又は 323,232等）、回文となっている数字（ 1,234,321等）、語呂合わせとなっている数字（ 4,649等）、商品ｘの製造・販売会社の創業年月日等の特別な年月日に対応する数字などが考えられる。なお、当該特定の数字は、特定のユーザが通信端末装置１から設定するようにしてもよい。
【００３７】
制御部２０は、加算結果が特定の数字に該当し、当選であると判断した場合（Ｓ６：ＹＥＳ）、加算結果及び当選通知を、ステップＳ３で受信したシリアル情報の送信元の通信端末装置１へ送信する（ステップＳ７）。制御部２０は、加算結果が特定の数字に該当せず、落選であると判断した場合（Ｓ６：ＮＯ）、加算結果を送信する（ステップＳ８）。
【００３８】
サーバ装置２ではステップＳ４にて受付済みのシリアル情報と重複すると判断した場合（Ｓ４：ＹＥＳ）、受付済みの通知を通信端末装置１へ送信する（ステップＳ９）。
【００３９】
通信端末装置１は、サーバ装置２から送信された通知、又は、加算結果及び抽選結果（当選若しくは落選）を受信し（ステップＳ１０）、受信した情報を表示部１４に出力して表示させ（ステップＳ１１）、処理を終了する。
【００４０】
ステップＳ７又はＳ８にて、サーバ装置２から通信端末装置１へ送信される加算結果はテキスト情報であってもよいし、加算結果の総計をアニメーション効果により表示させるＷｅｂコンテンツであってもよい。当選通知は例えば、当選のお知らせ、当選に伴う特典の内容、特典の受け取り方法、及び有効期限等を示すテキスト又は画像情報からなり、サーバ装置２上のＷｅｂコンテンツへのＵＲＬ情報を含む。落選した場合の抽選結果もＷｅｂコンテンツのＵＲＬ情報を含んでもよい。
【００４１】
図４は、通信端末装置１の表示部１４に表示される画面例を示す説明図である。図４に示す画面例は、加算結果の総計が所謂アクセスカウンタのように表示されると共に、抽選結果（当選通知）が表示されるＷｅｂコンテンツである。図４に示すようなＷｅｂコンテンツに接続した画面を表示させるか、又は当該画面を保存して表示させた通信端末装置１を、ユーザが店舗Ａ〜Ｃのいずれかの店員に見せることにより、ユーザは特典を受けることが可能である。なお、当選に対する特典が、店舗Ａ〜Ｃのいずれかの場所で取得できるものでない場合、当選通知のテキスト又は画像情報には、ユーザの名前及び住所を登録するためのＷｅｂコンテンツへ接続するＵＲＬ情報４１を含む。ユーザが当該ＵＲＬ情報を選択する操作をした場合、通信端末装置１は、選択されたＵＲＬ情報に基づき、ユーザの名前及び住所の情報を操作部１５にて受け付け、受け付けた名前及び住所の情報をサーバ装置２へ送信し、登録させる。
【００４２】
また、図４に示す画面例には、ユーザがＳＮＳでコメントするためのリンク情報（アイコン４２）が表示されている。ユーザが画面上のアイコン４２を選択すると、商品ｘの総計によって抽選がされる当該キャンペーンの情報を示すＷｅｂコンテンツへのリンクを含むコメントを作成するための画面へ、自動的に遷移するようにしてある。ユーザが「当選した」、「落選したが惜しかった。あと数個だった。」などとコメントすることで、他のユーザが当該コメントを閲覧し、当該キャンペーン及び商品ｘを知る。これにより、商品ｘ及びキャンペーンのＳＮＳ上での口コミによる広がりを期待することが可能となる。
【００４３】
ステップＳ９にて、サーバ装置２から通信端末装置１へ送信される通知にも、商品ｘのキャンペーン情報を提供するＷｅｂコンテンツへ接続するＵＲＬ情報を含んでもよい。
【００４４】
なお、図３のフローチャートに示した手順では、商品ｘの販売数（キャンペーン実施期間中）の総計（ステップＳ５）を算出する構成とした。しかしながら本発明はこれに限らず、商品ｘの所定数毎の購入回数、商品ｘの売上金額、商品ｘの購入人数（ユニーク又は延べ）、又は商品ｘが持つ数字情報（含有量、距離、査定金額、又は商品名等）の総計でもよい。また、サービスの提供であれば、提供回数、被提供者の人数、サービス１回の売上金額、サービスに係る距離の情報（ユーザの走行距離、使用距離等）の総計でもよい。
【００４５】
また、通信端末装置１の制御部１０は、ステップＳ１のＵＲＬ情報及びシリアル情報無しに、加算結果の送信要求を送信し、サーバ装置２の制御部２０が送信要求を受信し、送信要求に応じて、直近の加算結果の総計をアニメーション効果により表示させるＷｅｂコンテンツを送信し、制御部１０はこれを受信することができる。同様にして表示装置３の制御部３０が、加算結果の送信要求をサーバ装置２へ送信し、サーバ装置２から送信される総計を表示させるＷｅｂコンテンツを受信し、表示することができる。つまり、通信端末装置１及び表示装置３のいずれも、商品ｘの販売数のリアルタイムの総計を取得し、表示させることが可能である。
【００４６】
以上のように構成される情報提供システムで実現されるキャンペーンによる商品ｘの販売促進効果を模式図を用いて説明する。図５は、本実施の形態の情報提供システムで実現されるイメージを表す模式図である。
【００４７】
ユーザＡが、例えば「 1,000,000」個目の商品ｘの購入者であり、当選通知（図４参照）からＳＮＳにて当選の喜びをコメントした場合、当該コメントを閲覧した他のユーザがコメントし、更に他のユーザのコメントを閲覧したユーザＣが商品ｘについて興味を持ち購入する可能性がある。また、店舗Ａにて表示装置３で現在の総計「 999,990」が表示された場合、これを視認したユーザＣが他のユーザと共に総計「1,000,000」を目指して商品ｘを１０個購入する動機となり得る。そしてユーザＣが当選し、グループで参加したことをＳＮＳにてコメントした場合、これを閲覧した他のユーザＤが興味を持ち、店舗Ａ〜Ｃのいずれかへ訪れる可能性がある。また、商品ｘの製造販売会社の代表等の特定のユーザの通信端末装置１からはサーバ装置２にて特定の数字の設定を受け付けるようにし、設定が受け付けられた場合には、ＳＮＳにてコメントされるようにすることで、特定のユーザをも参加するＳＮＳにて、商品ｘの抽選について楽しむ場が提供される。このように、通信端末装置１又は表示装置３から他のユーザと共に総計を認識し、目指すべき数字を知ることができることから、ユーザは商品ｘの提供に応じた抽選の楽しさを多人数で共有することができ、商品ｘの購入を促進することが可能である。
【００４８】
なお、上述した実施の形態では、通信端末装置１又は表示装置３は、サーバ装置２との間で直接的に情報を送受信する構成とした。しかしながら本発明はこれに限らず、通信端末装置１又は表示装置３は、各店舗Ａ，Ｂ，Ｃに設置されているＰＯＳ（Point Of Sale ）システムの端末装置を介してサーバ装置２と接続し、情報を送受信する構成としてもよい。また、図３のステップＳ６にて、加算結果が特定の数字に該当せず、落選となった場合も異なる抽選方法により抽選を行なうようにしてもよい。例えば、落選したシリアル情報のカード数枚にて再度抽選するなどしてもよい。
【００４９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５０】
１  通信端末装置（通信装置）
１０  制御部
１３  通信部
２  サーバ装置（抽選処理装置）
２３  通信部
３  表示装置
Ｎ  ネットワーク
【図１】
2013232104.tif 000003
【図２】
2013232104.tif 000004
【図３】
2013232104.tif 000005
【図４】
2013232104.tif 000006
【図５】
2013232104.tif 000007